(57)【要約】【課題】錘部材（ウェイトバー）が下限位置にあるときの前後二重のスクリーンの相対移動による採光量の調整時に、ウェイトバーの大型化を抑えつつウェイトバーの上下動を抑制可能としたロールスクリーンを提供する。【解決手段】本発明のロールスクリーンは、前後二重のスクリーンにおける後側の第１スクリーン５ａ及び前側の第２スクリーン５ｂをそれぞれ吊下する巻取軸４ａ，４ｂ、及び当該前後二重のスクリーンを張設するためのウェイトバー７を備える。当該前後二重のスクリーンの各最上部は、ウェイトバー７が下限に位置したときに巻取軸４ａ，４ｂにおける巻上げ回転方向の端部とは逆側の端部から垂下するよう保持される。また、ウェイトバー７が下限に位置したときの調光操作で、第２スクリーン５ｂが巻取軸４ｂによって巻き取られる一方で、第１スクリーン５ａが巻取軸４ａによって巻き戻され、ウェイトバー７の上下動を抑制する。【選択図】図２
2019082091.tif 000002
【特許請求の範囲】
【請求項１】
２本の巻取軸からそれぞれスクリーンを吊下し前後二重のスクリーンを昇降可能とするロールスクリーンであって、
前後二重のスクリーンにおける後側の第１スクリーンを巻き取り、或いは巻戻し可能とする第１の巻取軸と、
前後二重のスクリーンにおける前側の第２スクリーンを巻き取り、或いは巻戻し可能とする第２の巻取軸と、
当該前後二重のスクリーンを張設するための錘部材とを備え、
前記錘部材が下限に位置したときに当該前後二重のスクリーンがそれぞれ前記第１の巻取軸及び前記第２の巻取軸における巻上げ回転方向の端部とは逆側の端部から垂下するよう当該前後二重のスクリーンの最上部が保持されていることを特徴とするロールスクリーン。
【請求項２】
２本の巻取軸からそれぞれスクリーンを吊下し前後二重のスクリーンを昇降可能とするロールスクリーンであって、
前後二重のスクリーンにおける後側の第１スクリーンを巻き取り、或いは巻戻し可能とする第１の巻取軸と、
前後二重のスクリーンにおける前側の第２スクリーンを巻き取り、或いは巻戻し可能とする第２の巻取軸と、
当該前後二重のスクリーンを張設するための錘部材とを備え、
前記錘部材が下限に位置したときに当該前後二重のスクリーンがそれぞれ前記第１の巻取軸及び前記第２の巻取軸における巻上げ回転方向の端部とは逆側の端部から垂下するよう当該前後二重のスクリーンの最上部が保持され、
前記錘部材が下限に位置したときの調光操作で、前記第２スクリーンが前記第２の巻取軸によって巻き取られる一方で、その巻取量とほぼ同量の逆巻していた前記第１スクリーンが前記第１の巻取軸によって巻き戻され、前記錘部材の上下動を抑制するよう構成したことを特徴とするロールスクリーン。
【請求項３】
前記第１スクリーン及び前記第２スクリーンは、それぞれ透光部及び遮光部を有し、当該前後二重のスクリーンにおける透光状態と遮光状態の切り替えを可能とするよう構成されていることを特徴とする、請求項１又は２に記載のロールスクリーン。
【請求項４】
前記錘部材が下限に位置したときの調光操作の開始時に、前記第２の巻取軸を回転させるとともに前記第１の巻取軸に対し空回りさせる機構を備えることを特徴とする、請求項１から３のいずれか一項に記載のロールスクリーン。
【請求項５】
前記錘部材が下限に位置したときの調光操作時に前記錘部材は前記第１スクリーン及び前記第２スクリーンの相対移動を調節動作するよう構成されていることを特徴とする、請求項１から４のいずれか一項に記載のロールスクリーン。
【発明の詳細な説明】
【技術分野】
【０００１】
本発明は、複数枚のスクリーンを重ね合わせた状態で吊下支持するロールスクリーンに関し、特に、そのスクリーンの重なり方を調節することにより、室内への採光量を調整可能としたロールスクリーンに関する。
【背景技術】
【０００２】
従来、二重に重ね合わせたスクリーンを上下方向に相対移動させて室内への採光量を調節可能としたロールスクリーンがある。
【０００３】
このようなロールスクリーンでは、スクリーンに、光を一部透過させる透光部と、光を遮る遮光部とが縞状に交互に形成され、このスクリーンが二重に重ね合わされた状態で吊下支持されている。そして、操作手段の操作により、前後のスクリーンを上下方向に相対移動させて、透光部と遮光部との重なり具合を調整することにより、採光量を調節可能となっている。
【０００４】
また、２枚のスクリーンを重ね合わせ、それぞれのスクリーンの上端部をそれぞれ別個の巻取軸に巻き取り、或いは巻き戻してスクリーンを昇降可能としたロールスクリーンが開示されている（例えば、特許文献１参照）。特許文献１に開示されるロールスクリーンでは、操作紐の操作により、常には各巻取軸が同期して同方向に回転されて、２枚のスクリーンが同時に昇降される。また、採光量の調整時には、スクリーンの昇降操作の後、操作紐を逆方向に操作すると、一方の巻取軸のみが所定の回転角度内で回転されて、透光部と遮光部が上下方向に相対移動することにより、透光部に対する遮光部の重なり幅を調整し採光量を調節可能としている。そして、特許文献１に開示されるロールスクリーンでは、スクリーンの相対移動範囲を外部から調整可能としている。
【０００５】
一方、２枚のスクリーンを重ね合わせ、それぞれのスクリーンの上端部を二重構造の巻取軸で巻き取り、或いは巻き戻してスクリーンを昇降可能としたロールスクリーンが開示されている（例えば、特許文献２参照）。特許文献２の技法では、それぞれのスクリーンの下端部にそれぞれ個別に２つのウェイトバーを取着し、この２つのウェイトバーを収容する単一のカバーを設け、このカバーを２つのウェイトバーに対し自重により相対移動可能にして、透光部に対する遮光部の重なり幅を調整する際に、２つのウェイトバーの相対的な上下動をそのカバー内部で行わせるように構成している。
【先行技術文献】
【特許文献】
【０００６】
【特許文献１】特許第５５３９８３６号明細書
【特許文献２】特許第４８００８７６号明細書
【発明の概要】
【発明が解決しようとする課題】
【０００７】
特許文献１に開示される技法では、透光部に対する遮光部の重なり幅を調整して採光量を調節する際に、スクリーンの下限に設けられるウェイトバーの高さが上下動してしまうという問題がある。このようなウェイトバーの高さの上下動が生じると、ウェイトバーの下端部からの光漏れが生じることや、気密性を損なうなどの問題が生じる。
【０００８】
また、特許文献２に開示される技法では、２つのウェイトバーを収容する単一のカバーが当該採光量の調整に必要な分だけ高さ方向に大型化してしまい意匠性を損なうという問題がある。
【０００９】
このため、錘部材（ウェイトバー）が下限位置にあるときの前後二重のスクリーンの相対移動による採光量の調整時に、ウェイトバーの大型化を抑えつつウェイトバーの上下動を抑制し、採光量を調節可能な態様でその下方からの光漏れを抑制することや、通気量を調節可能な態様で気密性を高める技法が望まれる。
【００１０】
本発明の目的は、上述の問題に鑑みて、錘部材（ウェイトバー）が下限位置にあるときの前後二重のスクリーンの相対移動による採光量の調整時に、ウェイトバーの大型化を抑えつつウェイトバーの上下動を抑制可能としたロールスクリーンを提供することにある。
【課題を解決するための手段】
【００１１】
本発明による第１態様のロールスクリーンは、２本の巻取軸からそれぞれスクリーンを吊下し前後二重のスクリーンを昇降可能とするロールスクリーンであって、前後二重のスクリーンにおける後側の第１スクリーンを巻き取り、或いは巻戻し可能とする第１の巻取軸と、前後二重のスクリーンにおける前側の第２スクリーンを巻き取り、或いは巻戻し可能とする第２の巻取軸と、当該前後二重のスクリーンを張設するための錘部材とを備え、前記錘部材が下限に位置したときに当該前後二重のスクリーンがそれぞれ前記第１の巻取軸及び前記第２の巻取軸における巻上げ回転方向の端部とは逆側の端部から垂下するよう当該前後二重のスクリーンの最上部が保持されていることを特徴とする。
【００１２】
更に、本発明による第２態様のロールスクリーンは、２本の巻取軸からそれぞれスクリーンを吊下し前後二重のスクリーンを昇降可能とするロールスクリーンであって、前後二重のスクリーンにおける後側の第１スクリーンを巻き取り、或いは巻戻し可能とする第１の巻取軸と、前後二重のスクリーンにおける前側の第２スクリーンを巻き取り、或いは巻戻し可能とする第２の巻取軸と、当該前後二重のスクリーンを張設するための錘部材とを備え、前記錘部材が下限に位置したときに当該前後二重のスクリーンがそれぞれ前記第１の巻取軸及び前記第２の巻取軸における巻上げ回転方向の端部とは逆側の端部から垂下するよう当該前後二重のスクリーンの最上部が保持され、前記錘部材が下限に位置したときの調光操作で、前記第２スクリーンが前記第２の巻取軸によって巻き取られる一方で、その巻取量とほぼ同量の逆巻していた前記第１スクリーンが前記第１の巻取軸によって巻き戻され、前記錘部材の上下動を抑制するよう構成したことを特徴とする。
【００１３】
また、本発明による第１及び第２態様のロールスクリーンにおいて、前記第１スクリーン及び前記第２スクリーンは、それぞれ透光部及び遮光部を有し、当該前後二重のスクリーンにおける透光状態と遮光状態の切り替えを可能とするよう構成されていることを特徴とする。
【００１４】
また、本発明による第１及び第２態様のロールスクリーンにおいて、前記錘部材が下限に位置したときの調光操作の開始時に、前記第２の巻取軸を回転させるとともに前記第１の巻取軸に対し空回りさせる機構を備えることを特徴とする。
【００１５】
また、本発明による第１及び第２態様のロールスクリーンにおいて、前記錘部材が下限に位置したときの調光操作時に前記錘部材は前記第１スクリーン及び前記第２スクリーンの相対移動を調節動作するよう構成されていることを特徴とする。
【発明の効果】
【００１６】
本発明によれば、錘部材（ウェイトバー）が下限位置にあるときの前後二重のスクリーンの相対移動による採光量の調整時に、ウェイトバーの大型化を抑えつつウェイトバーの上下動を抑制可能となる。
【図面の簡単な説明】
【００１７】
【図１】本発明による一実施形態のロールスクリーンの概略構成を示す正面図である。
【図２】本発明による一実施形態のロールスクリーンの概略構成を示す断面側面図である。
【図３】（ａ），（ｂ）は、それぞれ本発明による第１実施形態のロールスクリーンにおける操作装置の概略構成を示す断面側面図と、その被動歯車の構成を示す分解斜視図である。
【図４】（ａ），（ｂ）は、それぞれ本発明による一実施形態のロールスクリーンにおける被動歯車の空回り動作を示す断面側面図である。
【図５】（ａ）乃至（ｄ）は、それぞれ本発明による一実施形態のロールスクリーンにおける全体動作を説明するための断面側面図である。
【発明を実施するための形態】
【００１８】
以下、図面を参照して、本発明による各実施形態のロールスクリーンを説明する。尚、本願明細書中、図１に示すロールスクリーンの正面図に対して、図示上方及び図示下方をスクリーンの吊り下げ方向に準じてそれぞれ上方向（又は上側）及び下方向（又は下側）と定義し、図示左方向をロールスクリーンの左側、及び、図示右方向をロールスクリーンの右側と定義して説明する。また、以下に説明する例では、図１に示すロールスクリーンの正面図に対して、視認する側を前側（又は室内側）、その反対側を後側（又は室外側）とする。
【００１９】
（ロールスクリーンの構成）
まず、本発明による第１実施形態のロールスクリーンを図面に従って説明する。図１及び図２に示す第１実施形態のロールスクリーンは、取付ブラケット１を介して窓枠等の取付面に取着されるフレーム２の両端に支持ブラケット３が取着され、その支持ブラケット３に２本の巻取軸４ａ，４ｂが回転可能に支持されている。
【００２０】
巻取軸４ａ，４ｂは、支持ブラケット３に上下方向に所定の間隔を隔てて支持されるとともに、前後方向に僅かにオフセットした状態で支持されている。
【００２１】
巻取軸４ａには室外側の第１スクリーン５ａの上端部が取着され、巻取軸４ｂには室内側の第２スクリーン５ｂの上端部が取着されている。そして、第１及び第２スクリーン５ａ，５ｂは巻取軸４ａ，４ｂから近接して重ね合わされるように垂下されている。
【００２２】
巻取軸４ａ，４ｂ内には、それぞれ第１及び第２スクリーン５ａ，５ｂの巻上時の操作力を軽減するスプリングモーター４１、及び各巻取軸４ａ，４ｂの回転トルクに所定の制動力を付与するブレーキユニット４２等が収容されている。
【００２３】
ウェイトバー７は、錘部材として機能する部材であり、巻取軸４ａ，４ｂと略平行に延びるボトムパイプ６を回転可能に支持するよう構成されている。
【００２４】
そして、第１スクリーン５ａの下端部は後方（室外側）からボトムパイプ６の一部に取着され、第２スクリーン５ｂの下端部は前方（室内側）からボトムパイプ６の一部に取着されている。このため、ウェイトバー７におけるボトムパイプ６は第１及び第２スクリーン５ａ，５ｂの調光時に回転する。
【００２５】
本例では、特に、図２に示すようにウェイトバー７が下限に位置したときに、当該前後二重のスクリーンを構成する第１及び第２スクリーン５ａ，５ｂがそれぞれ巻取軸４ａ及び巻取軸４ｂにおける巻上げ回転方向の端部とは逆側の端部から垂下するよう当該前後二重のスクリーンの最上部が保持されている。
【００２６】
つまり、図２に示すように、巻取軸４ａ，４ｂは共に、第１及び第２スクリーン５ａ，５ｂを下降させるときは図示Ｂ方向に回転し、第１及び第２スクリーン５ａ，５ｂを上昇させるときは図示Ａ方向に回転するが、ウェイトバー７が下限に位置したときに、巻取軸４ａ，４ｂでは、それぞれその室内側から第１及び第２スクリーン５ａ，５ｂを支持し、後方（室外側）から垂下させて巻き取る「逆巻き」とする構成としている。
【００２７】
このため、巻取軸４ａから垂下する第１スクリーン５ａは、巻取軸４ｂの後方（室外側）から垂下し、巻取軸４ｂから垂下する第２スクリーン５ｂは、巻取軸４ｂの下方まで伸びるフレーム２の案内部位２ａにより、巻取軸４ｂの中心よりも後方（室外側）からの垂下へと案内される。案内部位２ａは、巻取軸４ａ，４ｂが室内側下方からも視認しにくくなるように隠し意匠性を上げる効果もある。これにより、第１及び第２スクリーン５ａ，５ｂは巻取軸４ａ，４ｂから近接して重ね合わされ、第１及び第２スクリーン５ａ，５ｂのそれぞれの上端部をそれぞれ別個の巻取軸４ａ，４ｂに巻き取り、或いは巻き戻して第１及び第２スクリーン５ａ，５ｂを昇降可能としている。
【００２８】
第１及び第２スクリーン５ａ，５ｂは、光を透過する透光部８と、光を遮光する遮光部９が等間隔で上下方向に縞状に形成されている。そして、第１及び第２スクリーン５ａ，５ｂの透光部８が重なる状態では、その透光部８から外光を採り入れ可能であり、第１及び第２スクリーン５ａ，５ｂの透光部８と遮光部９が重なる状態では、外光を遮断可能となっている。
【００２９】
尚、第１及び第２スクリーン５ａ，５ｂに設けられる透光部８は高通気性とし、遮光部９は低通気性を持つよう構成することができる。従って、透光部８に対する遮光部９の重なり幅を調整することで、その通気性を調節することもできる。
【００３０】
図１に示す右方の支持ブラケット３には操作装置１０が取着され、その操作装置１０から無端状のボールチェーン１１が垂下されている。そして、ボールチェーン１１の操作により、巻取軸４ａ，４ｂを同方向に同一速度で回転させて、第１及び第２スクリーン５ａ，５ｂを一括して昇降可能となっている。
【００３１】
また、第１及び第２スクリーン５ａ，５ｂを昇降操作した後に、ボールチェーン１１を逆方向に引くと、下方の巻取軸４ｂのみを所定角度に限り回転させて、第１スクリーン５ａに対して第２スクリーン５ｂを上下方向に相対移動操作可能となっている。
【００３２】
ボールチェーン１１は、コネクタ１２で連結されて無端状に形成されるとともに、第１及び第２スクリーン５ａ，５ｂの昇降範囲を規制する規制部材１３ａ，１３ｂが取着されている。
【００３３】
そして、第１及び第２スクリーン５ａ，５ｂが上限まで引き上げられたとき、規制部材１３ａは図１に示す操作装置１０のケース１４の背面側（プーリー１５の入口）に当接して、ボールチェーン１１の同方向へのそれ以上の操作が阻止される。また、第１及び第２スクリーン５ａ，５ｂが下限まで下降したとき、規制部材１３ｂはケース１４の前面側（プーリー１５の出口）に当接して、ボールチェーン１１の同方向へのそれ以上の操作が阻止される。
【００３４】
コネクタ１２は、ボールチェーン１１のボールを係止するボール係止部と、そのボール係止部を連結する連結部とで構成され、あらかじめ設定された引張り力以上の力で引っ張られると、ボール係止部が連結部から外れるようになっている。
【００３５】
次に、操作装置１０の具体的構成を説明する。図１に示すように、操作装置１０のケース１４内にはプーリー１５が回転可能に支持され、そのプーリー１５にボールチェーン１１が掛装されている。そして、ボールチェーン１１の操作によりプーリー１５が正逆方向に回転される。
【００３６】
そして、操作装置１０は、図３（ａ）に示す構造により、第１及び第２スクリーン５ａ，５ｂの昇降操作時の透光部８と遮光部９の重なり具合を調整する機能を有している。
【００３７】
プーリー１５には、図３（ａ）に示す駆動歯車１６が一体成形され、その駆動歯車１６に噛み合う伝達歯車１７がケース１４に回転可能に支持されている。
【００３８】
また、ケース１４内の上方において、伝達歯車１７に噛み合う被動歯車３１がケース１４に回転可能に支持されている。駆動歯車１６と被動歯車３１の歯数は同数であり、駆動歯車１６の回転に基づいて被動歯車３１は駆動歯車１６と同方向に同一速度で回転される。
【００３９】
ケース１４内に回転可能に支持される被動歯車３１には、ボールチェーン１１の操作に基づいて回転される駆動歯車１６から伝達歯車１７を介して回転力が付与され、駆動歯車１６と被動歯車３１は同一速度で同方向に回転される。
【００４０】
駆動歯車１６の中心軸は、巻取軸４ｂの中心軸と同軸上にあり、駆動歯車１６は、巻取軸４ｂの右端部側に位置して相対回転不能に係合している。また、被動歯車３１の中心軸は、巻取軸４ａの中心軸と同軸上にあり、被動歯車３１は、図３（ｂ）に示すように、歯車部３２と伝達軸部３３とで構成され、歯車部３２が伝達軸部３３に回転可能に支持されている。そして、伝達軸部３３の中心部に形成された係合孔３４が巻取軸４ａの右端部に係合して、伝達軸部３３と巻取軸４ａとが一体に回転するようになっている。
【００４１】
歯車部３２には径方向に扇状に突出する伝達片３５が形成され、伝達軸部３３には径方向に扇状に突出する伝達片３６が伝達片３５の回動軌跡上に設けられている。伝達片３５，３６は、それぞれ中心に対し６０度の範囲で形成される。従って、歯車部３２は伝達軸部３３に対し最大で２４０度の範囲で空回り可能である。この角度は、透光部８の上下幅と、巻取軸４ａ，４ｂの径によって決まる角度である。
【００４２】
歯車部３２の一端にはネジ孔３７が形成され、そのネジ孔３７にはネジ軸３８が螺合されている。ネジ軸３８の先端には六角孔３９が形成され、六角レンチを嵌合可能となっている。そして、六角レンチでネジ軸３８を回動操作することにより、ネジ孔３７からのネジ軸３８の突出長さを調節可能となっている。
【００４３】
ネジ軸３８は歯車部３２の回転に基づいてその先端が伝達片３６に当接する。従って、ネジ軸３８の突出長さを調整すると、歯車部３２の伝達片３５が伝達軸部３３の伝達片３６に当接するまでの空回り角度を調整することができる。
【００４４】
ケース１４の外側面には、図３（ａ）に示すように、歯車部３２の伝達片３５の回動位置を外部から確認するための目視孔４０が形成されている。また、ケース１４の後方側面には六角レンチを挿通可能とした操作孔４１が形成され、伝達片３５が目視孔４０で目視できる位置に達すると、操作孔４１から挿入した六角レンチを六角孔３９に容易に嵌合可能となっており、これによりネジ孔３７からのネジ軸３８の突出長さを調節可能とし、駆動歯車１６の回転に対して伝達歯車１７を介して回転する被動歯車３１の空回り角度を容易に調整できるようにしている。
【００４５】
従って、駆動歯車１６の回転に基づいて巻取軸４ｂが回転され、駆動歯車１６の回転に基づいて、伝達歯車１７を介して当該空回り角度を有して被動歯車３１が回転すると、巻取軸４ａが同一速度で同方向に回転するようになっている。
【００４６】
即ち、図２に示すように、巻取軸４ｂを回転させる駆動歯車１６が矢印Ａ方向に回転するとき、伝達片３５が伝達片３６に当接するまでの角度範囲では、被動歯車３１の回転が巻取軸４ａに伝達されず、伝達片３５が伝達片３６に当接すると巻取軸４ａが矢印Ａ方向に回転するよう伝達される。
【００４７】
同様に、図２に示すように、巻取軸４ｂを回転させる駆動歯車１６が矢印Ｂ方向に回転するとき、伝達片３５が伝達片３６に当接するまでの角度範囲では、被動歯車３１の回転が巻取軸４ａに伝達されず、伝達片３５が伝達片３６に当接すると巻取軸４ａが矢印Ｂ方向に回転するよう伝達される。
【００４８】
このような動作により、第１及び第２スクリーン５ａ，５ｂを一括して昇降操作した後に、ボールチェーン１１を逆方向に操作して、駆動歯車１６を逆方向に回転させたとき、被動歯車３１がほぼ２４０度回転するまでは、巻取軸４ａは回転されず、巻取軸４ｂのみが回転される。
【００４９】
従って、操作装置１０は、図４（ａ）に示す被動歯車３１における伝達片３６と伝達片３５との相対角度位置から、図４（ｂ）に示すように歯車部３２を伝達軸部３３に対し約２４０度の範囲で空回りさせることができ、これにより、巻取軸４ｂを回転させるとともに巻取軸４ａに対し空回りさせる連動回転調節機構（駆動歯車１６、伝達歯車１７及び被動歯車３１）を構成することができる。
【００５０】
尚、上述した操作装置１０の構成は単なる一例を示したものであり、例えば特許文献１に開示される各種の操作装置１０の構成と同様のものとすることができる。
【００５１】
尚、第１及び第２スクリーン５ａ，５ｂは、ウェイトバー７を下限位置まで下降させたとき、図２に示すように、巻取軸４ａ，４ｂに対し所定量の余巻が残るように取着されている。上述したように、巻取軸４ａ，４ｂには、図３に示すような、ウェイトバー７が下限に位置したときの調光操作の開始時に、巻取軸４ｂを回転させるとともに巻取軸４ａに対し空回りさせる連動回転調節機構（駆動歯車１６、伝達歯車１７及び被動歯車３１）が設けられている。そして、ウェイトバー７が下限に位置したときの調光操作時に、第２スクリーン５ｂが巻取軸４ｂによって巻き取られる一方で、同時に、その巻取量とほぼ同量の逆巻していた第１スクリーン５ａが巻取軸４ａによって巻き戻され（吐き出され）ると、ウェイトバー７は、第１及び第２スクリーン５ａ，５ｂに弛みが生じさせないために、第１及び第２スクリーン５ａ，５ｂの相対移動を調節動作するよう構成され、即ちウェイトバー７におけるボトムパイプ６は第１及び第２スクリーン５ａ，５ｂの調光時に当該第１及び第２スクリーン５ａ，５ｂの相対移動に対応して回転するようになっている。
【００５２】
（ロールスクリーンの動作）
本実施形態では、上述したように、ウェイトバー７が下限に位置したときに、当該前後二重のスクリーンを構成する第１及び第２スクリーン５ａ，５ｂがそれぞれ巻取軸４ａ及び巻取軸４ｂにおける巻上げ回転方向の端部とは逆側の端部から垂下するよう当該前後二重のスクリーンの最上部が保持される構成とし、ウェイトバー７におけるボトムパイプ６は第１及び第２スクリーン５ａ，５ｂの各下端を取着し調光時に回転するよう構成されている。
【００５３】
また、この第１及び第２スクリーン５ａ，５ｂの配回しと、連動回転調節機構（駆動歯車１６、伝達歯車１７及び被動歯車３１）による巻取軸４ｂの回転に対する巻取軸４ａの空回りとを調整することで、ウェイトバー７が下限位置にあるときの前後二重のスクリーンの相対移動による採光量の調整時に、ウェイトバー７の上下動を抑制可能としている。
【００５４】
より具体的に、図５を参照して、本実施形態のロールスクリーンにおける全体動作を説明する。図５（ａ）乃至（ｄ）は、それぞれ本発明による一実施形態のロールスクリーンにおける全体動作を説明するための断面側面図である。
【００５５】
まず、図５（ａ）は、ウェイトバー７が下限位置にあるときの状態を示している。第１及び第２スクリーン５ａ，５ｂの下降動作は、巻取軸４ａ，４ｂを共に図２に示すＢ方向に回転させることで為される。そして、規制部材１３ｂが図１に示すケース１４の前面側（プーリー１５の出口）に当接して、ボールチェーン１１の同方向へのそれ以上の操作が阻止されたとき、ウェイトバー７が下限位置の状態となる。本例では、ウェイトバー７が床面から高さｈにあるときに下限位置となるよう設定されている。
【００５６】
図５（ａ）に示す下限位置状態から、室内側のボールチェーン１１を下方に引くことで（白抜き矢印方向）、巻取軸４ａは回転せず空回りし巻取軸４ｂが図示時計方向に回転する。そして、巻取軸４ｂが図５（ａ）に示す状態から約１８０°回転した状態になると、巻取軸４ａの空回りが終了する位置になり、図５（ｂ）に示すように調光開始状態となる。
【００５７】
尚、図５（ａ）から図５（ｂ）に示すように遷移させる動作においても、ウェイトバー７はほぼ上下動することなく床面から高さｈに保持される。
【００５８】
図５（ｂ）に示す下限位置状態から、室内側のボールチェーン１１を更に下方に引くことで（白抜き矢印方向）、図５（ｃ）に示すように、巻取軸４ａ，４ｂが同期して、図示時計方向に回転する。このため、実線矢印で示すように、第２スクリーン５ｂが巻取軸４ｂによって巻き取られる一方で、同時に、その巻取量とほぼ同量の逆巻していた第１スクリーン５ａが巻取軸４ａによって巻き戻され（吐き出され）、ウェイトバー７はほとんど上下動することなく調光可能となる。
【００５９】
ただし、本実施形態の調光操作は、図５（ｃ）に示す状態で、室内側及び室外側のボールチェーン１１を交互に下方に引くことでも可能であるが、ウェイトバー７の上下動を抑制して第１及び第２スクリーン５ａ，５ｂの昇降操作時の透光部８と遮光部９の重なり具合を微調整したいときは、図５（ａ）乃至図５（ｃ）の一例の操作を行う必要がある。
【００６０】
図５（ｃ）に示す下限位置状態から、室内側のボールチェーン１１を更に下方に引くことで（白抜き矢印方向）、図５（ｄ）に示すように、巻取軸４ａ，４ｂが同期して、図示時計方向に回転し、ウェイトバー７を上昇させることができる。
【００６１】
このように、前後二重のスクリーンを構成する第１スクリーン５ａ及び第２スクリーン５ｂが、それぞれ透光部８及び遮光部９を有するよう構成することで、当該前後二重のスクリーンにおける透光状態と遮光状態の切り替えが可能となる。これにより、第１及び第２スクリーン５ａ，５ｂの相対移動で、採光量を調節することができる。また、透光部８は高通気性とし、遮光部９は低通気性を持つよう構成することができる。従って、透光部８に対する遮光部９の重なり幅を調整することで、その通気性を調節することもできる。
【００６２】
特に、ウェイトバー７が下限位置にあるときに、ボールチェーン１１を操作して調光操作を行うときは、ウェイトバー７の上下動を抑えることができ、採光量を調節可能な態様でウェイトバー７の下方からの光漏れを抑制することや、通気量を調節可能な態様でウェイトバー７の下方からの気密性を高めることができる。
【００６３】
また、本実施形態に係るウェイトバー６及びボトムカバー７の上下動抑制構造によれば、特許文献２の技法のように、それぞれのスクリーンの下端部にそれぞれ個別に２つのウェイトバーを取着し、この２つのウェイトバーを収容する単一のカバーを設け、このカバーを２つのウェイトバーに対し自重により相対移動可能に構成するよりも、ウェイトバー６及びボトムカバー７の小型化にも寄与することとなる。
【００６４】
以上、特定の実施形態の例を挙げて本発明を説明したが、本発明は前述の実施形態の例に限定されるものではなく、その技術思想を逸脱しない範囲で種々変形可能である。例えば、上述した実施形態の例では、巻取軸４ａ，４ｂの回転操作のためにボールチェーンによる操作を例に説明したが、紐状の操作コードよる回転操作としてもよいし、巻取軸４ａ，４ｂを電動で回転操作するロールスクリーンでもよい。
【００６５】
また、上述した実施形態の例では、第１及び第２スクリーン５ａ，５ｂにおいて、光を透過する透光部８と、光を遮光する遮光部９が等間隔で上下方向に縞状に形成されている例を説明したが、これに限定する必要はなく、透光部８と遮光部９の形状やピッチは任意であり、相対移動により採光量の調整可能とする任意態様で前後二重のスクリーンを構成するものであればよい。
【産業上の利用可能性】
【００６６】
本発明によれば、前後二重のスクリーンの相対移動による採光量の調整時、更には昇降操作の切り替え時に、ウェイトバーの大型化を抑えつつウェイトバーの上下動を抑制可能となるので、前後二重のスクリーンを有するロールスクリーンの用途に有用である。
【符号の説明】
【００６７】
１  取付ブラケット
２  フレーム
２ａ  案内部位
３  支持ブラケット
４ａ，４ｂ  巻取軸
５ａ  第１スクリーン
５ｂ  第２スクリーン
６  ボトムパイプ
７  ウェイトバー（錘部材）
８  透光部
９  遮光部
１０  操作装置
１１  ボールチェーン
【図１】
2019082091.tif 000003
【図２】
2019082091.tif 000004
【図３】
2019082091.tif 000005
【図４】
2019082091.tif 000006
【図５】
2019082091.tif 000007